(57)【特許請求の範囲】
【請求項１】
正面視で、ベースと、支持板と、支持壁とを含み、前記ベースが前記支持板と固定的に連結され、前記支持板には支持筐体がスライドできるように取り付けられ、前記支持筐体の上側には持ち上げ筐体が設置され、前記支持筐体と、前記支持板と、前記持ち上げ筐体との三者の間の空間には前記持ち上げ筐体を前記ベースに対して前後左右且つ上下に移動させる運動部品が設置され、前記持ち上げ筐体の頂面には作動台空間が設置され、前記作動台空間の中には作動する時に加工物をきつく挟める挟み部品が設置され、
前記挟み部品は前記作動台空間に設置された作動台を含み、前記作動台には加工物を置ける作動空間が設置され、前記作動空間と前記作動台の外周との間には調節ロッドがねじ山によって取り付けられ、前記調節ロッドには第一挟み板が回転できるように取り付けられ、前記作動空間の中には第二挟み板が設置され、前記第二挟み板と前記第一挟み板とは前記作動空間の中に位置した加工物をきつく挟むことができ、前記支持壁と持ち上げ筐体との間には加工物とハブ磨きによって生み出された粉末が飛び出ることを防止できる防護部品が設置され、
前記防護部品は前記支持壁の前後面に前後対称的に、且つ固定的に取り付けられたハブ車カバーを含み、前記ハブ車カバーの中にはハブ車が設置され、前記ハブ車が前記支持壁と回転できるように取り付けられ、前記持ち上げ筐体にはハブ磨きをする時に加工物が飛び出るのを防止できる防護カバーが固定的に取り付けられ、前記防護カバーと前記ハブ車カバーとの間には波紋カバーが固定的に取り付けられ、前記支持壁のうち前記防護カバーの中に位置したところにはハブ磨きをする時に生み出された粉末を吸い取れる吸い取りヘッドが固定的に取り付けられたことを特徴とする仕上げ加工職場の研磨処理の防護型ハブ研磨機。
【請求項２】
前記運動部品はまた前記支持板と前記支持筐体との間に設置された移動部品を含むことを特徴とする請求項１に記載の仕上げ加工職場の研磨処理の防護型ハブ研磨機。
【請求項３】
前記支持筐体の中にはハンドル車軸が回転できるように取り付けられ、前記ハンドル車軸にはハンドル車が固定的に取り付けられ、前記ハンドル車軸には二つのねじが設置され、その二つのねじの回り方向は反対であり、前記ハンドル車軸にはねじ山ブロックが左右対称的に、且つねじ山によって取り付けられ、前記ねじ山ブロックには支持ロッドがヒンジで取り付けられ、前記支持ロッドが前記持ち上げ筐体の底面にヒンジで取り付けられたことを特徴とする請求項１に記載の仕上げ加工職場の研磨処理の防護型ハブ研磨機。
【請求項４】
前記挟み部品はまた突き上げロッドと、突き上げロッド空間と、プッシュ板と、挟みバネとを含み、前記突き上げロッドが前記支持壁の底面に固定的に取り付けられ、前記支持壁が前記支持板と固定的に連結され、前記作動台には前記突き上げロッド空間が設置され、前記突き上げロッドが下方へ前記突き上げロッド空間の中に入っており、前記作動空間と前記突き上げロッド空間との間には前記プッシュ板がスライドできるように取り付けられ、前記プッシュ板が前記第二挟み板と固定的に連結され、前記第二挟み板と前記作動空間の片側内壁との間には前記挟みバネが固定的に取り付けられ、前記作動台を中心に六つの前記作動空間を対称的に設置していることを特徴とする請求項１に記載の仕上げ加工職場の研磨処理の防護型ハブ研磨機。
【請求項５】
前記作動台の底面にはスプラインスリーブが固定的に取り付けられ、前記作動台空間の底壁の中にはステッピングモーターが固定的に取り付けられ、前記ステッピングモーターの出力軸にはスプライン軸が固定的に連結され、前記スプライン軸が前記スプラインスリーブとスプラインによって取り付けられ、前記作動台空間の底壁には六つの持ち上げ斜めブロックが前記作動台を回って固定的に取り付けられ、前記持ち上げ斜めブロックには凹み部が設置され、前記作動台の底面には六つの持ち上げプッシュロッドが前記作動台に関して中心対称になるように、且つ固定的に取り付けられ、前記持ち上げプッシュロッドは前記持ち上げ斜めブロックにある凹み部と嵌合されることができ、前記持ち上げプッシュロッドの位置は前記作動空間の位置と対応しており、
前記ステッピングモーターを始動した時、前記ステッピングモーターが前記作動台を毎回六十度回転させ、前記作動台が回転する時、前記持ち上げプッシュロッドを前記持ち上げ斜めブロックでスライドできるように連動させ、前記作動台を持ち上げられるようにさせ、加工物の表面を研磨させられるようにさせることを特徴とする請求項１に記載の仕上げ加工職場の研磨処理の防護型ハブ研磨機。
【請求項６】
前記防護部品はまた冷却筐体と、入気パイプと、冷却モーターと、羽根と、フィルターと、を含み、前記冷却筐体が前記支持壁の頂面に固定的に取り付けられ、前記冷却筐体の中には前記入気パイプが設置され、前記入気パイプが前記ハブ車カバーと連通しており、前記入気パイプの中には前記冷却モーターが固定的に取り付けられ、前記冷却モーターの出力軸には前記羽根が固定的に連結され、前記入気パイプの入口のところには前記フィルターが固定的に取り付けられたことを特徴とする請求項１に記載の仕上げ加工職場の研磨処理の防護型ハブ研磨機。
【請求項７】
前記支持壁の中にはハブモーターが固定的に取り付けられ、前記ハブモーターの出力軸にはハブ車軸が固定的に連結され、前記ハブ車軸が前記支持壁の前後面を前後に貫通して前記ハブ車カバーの中に入っており、且つ前記ハブ車と固定的に連結され、後側の前記ハブ車が研磨の粗加工を行い、前側の前記ハブ車が研磨の仕上げ加工を行い、前記支持壁の底面には灯光と前記吸い取りヘッドとが前後対称的に、且つ固定的に取り付けられたことを特徴とする請求項１に記載の仕上げ加工職場の研磨処理の防護型ハブ研磨機。
【請求項８】
前記防護カバーが二つ設置され、二つの前記防護カバーが互いにスライドできるように取り付けられ、前記支持壁の中には吸い上げポンプが固定的に取り付けられ、前記吸い上げポンプの入口が前記吸い取りヘッドと連通しており、前記持ち上げ筐体の中には収集チャンバが設置され、前記収集チャンバと前記吸い上げポンプの出口とが連結されていることを特徴とする請求項１に記載の仕上げ加工職場の研磨処理の防護型ハブ研磨機。
【発明の詳細な説明】
【技術分野】
【０００１】
本発明は機械加工分野に関わり、具体的には仕上げ加工職場の研磨処理の防護型ハブ研磨機である。
【背景技術】
【０００２】
仕上げ加工職場では、ハブ研磨機は非常に重要な仕上げ加工設備で、パーツ表面の精度を高められ、適用範囲が広いのであり、ハブ研磨機は使用される時にハブ車を高速で回転させる必要があり、その目的はパーツ表面のまくれなどを除去して精度を高めるのであり、ハブ研磨機の回転速度は早くなる時、加工物への挟持が不安定する状況が出、安全事故が発生しやすく、今までのハブ研磨機は防護できなく、その作動部品が作業員に影響し、特に研磨処理を行う時、大量の金属鉄くずや埃などを生み出し、環境に一定の影響を与え、一部のハブ研磨機は作動する時に、大量の人為的な操作が必要で、自動化作動を実現しにくい。
【先行技術文献】
【特許文献】
【０００３】
【特許文献１】中国特許出願公開第１０６２７２０４７号明細書
【発明の概要】
【発明が解決しようとする課題】
【０００４】
本発明は仕上げ加工職場の研磨処理の防護型ハブ研磨機を提供し、既存技術にある上記欠点を解消することを目的とする。
【課題を解決するための手段】
【０００５】
本発明の実施例の仕上げ加工職場の研磨処理の防護型ハブ研磨機はベースと、支持板と、支持壁とを含み、前記ベースが前記支持板と固定的に連結され、前記支持板には支持筐体がスライドできるように取り付けられ、前記支持筐体の上側には持ち上げ筐体が設置され、前記支持筐体と、前記支持板と、前記持ち上げ筐体との三者の間の空間には前記持ち上げ筐体を前記ベースに対して前後左右且つ上下に移動させる運動部品が設置され、前記持ち上げ筐体の頂面には作動台空間が設置され、前記作動台空間の中には作動する時に加工物をきつく挟める挟み部品が設置され、前記挟み部品は前記作動台空間に設置された作動台を含み、前記作動台には加工物を置ける作動空間が設置され、前記作動空間と前記作動台の外周との間には調節ロッドがねじ山によって取り付けられ、前記調節ロッドには第一挟み板が回転できるように取り付けられ、前記作動空間の中には第二挟み板が設置され、前記第二挟み板と前記第一挟み板とは前記作動空間の中に位置した加工物をきつく挟むことができ、前記支持壁と持ち上げ筐体との間には加工物とハブ磨きによって生み出された粉末が飛び出ることを防止できる防護部品が設置され、前記防護部品は前記支持壁の前後面に前後対称的に、且つ固定的に取り付けられたハブ車カバーを含み、前記ハブ車カバーの中にはハブ車が設置され、前記ハブ車が前記支持壁と回転できるように取り付けられ、前記持ち上げ筐体にはハブ磨きをする時に加工物が飛び出るのを防止できる防護カバーが固定的に取り付けられ、前記防護カバーと前記ハブ車カバーとの間には波紋カバーが固定的に取り付けられ、前記支持壁のうち前記防護カバーの中に位置したところにはハブ磨きをする時に生み出された粉末を吸い取れる吸い取りヘッドが固定的に取り付けられた。
【０００６】
上記の技術プランに基づいて、前記運動部品はまた前記支持板と前記支持筐体との間に設置された移動部品を含む。
【０００７】
上記の技術プランに基づいて、前記支持筐体の中にはハンドル車軸が回転できるように取り付けられ、前記ハンドル車軸にはハンドル車が固定的に取り付けられ、前記ハンドル車軸には二つのねじが設置され、その二つのねじの回り方向は反対であり、前記ハンドル車軸にはねじ山ブロックが左右対称的に、且つねじ山によって取り付けられ、前記ねじ山ブロックには支持ロッドがヒンジで取り付けられ、前記支持ロッドが前記持ち上げ筐体の底面にヒンジで取り付けられている。
【０００８】
上記の技術プランに基づいて、前記挟み部品はまた突き上げロッドと、突き上げロッド空間と、プッシュ板と、挟みバネとを含み、前記突き上げロッドが前記支持壁の底面に固定的に取り付けられ、前記支持壁が前記支持板と固定的に連結され、前記作動台には前記突き上げロッド空間が設置され、前記突き上げロッドが下方へ前記突き上げロッド空間の中に入っており、前記作動空間と前記突き上げロッド空間との間には前記プッシュ板がスライドできるように取り付けられ、前記プッシュ板が前記第二挟み板と固定的に連結され、前記第二挟み板と前記作動空間の片側内壁との間には前記挟みバネが固定的に取り付けられ、前記作動台を中心に六つの前記作動空間を対称的に設置している。
【０００９】
上記の技術プランに基づいて、前記作動台の底面にはスプラインスリーブが固定的に取り
付けられ、前記作動台空間の底壁の中にはステッピングモーターが固定的に取り付けられ、前記ステッピングモーターの出力軸にはスプライン軸が固定的に連結され、前記スプライン軸が前記スプラインスリーブとスプラインによって取り付けられ、前記作動台空間の底壁には六つの持ち上げ斜めブロックが前記作動台を回って固定的に取り付けられ、前記持ち上げ斜めブロックには凹み部が設置され、前記作動台の底面には六つの持ち上げプッシュロッドが前記作動台に関して中心対称になるように、且つ固定的に取り付けられ、前記持ち上げプッシュロッドは前記持ち上げ斜めブロックにある凹み部と嵌合されることができ、前記持ち上げプッシュロッドの位置は前記作動空間の位置と対応しており、
前記ステッピングモーターを始動した時、前記ステッピングモーターが前記作動台を毎回六十度回転させ、前記作動台が回転する時、前記持ち上げプッシュロッドを前記持ち上げ斜めブロックでスライドできるように連動させ、前記作動台を持ち上げられるようにさせ、加工物の表面を研磨させられるようにさせる。
【００１０】
上記の技術プランに基づいて、前記防護部品はまた冷却筐体と、入気パイプと、冷却モーターと、羽根と、フィルターと、を含み、前記冷却筐体が前記支持壁の頂面に固定的に取り付けられ、前記冷却筐体の中には前記入気パイプが設置され、前記入気パイプが前記ハブ車カバーと連通しており、前記入気パイプの中には前記冷却モーターが固定的に取り付けられ、前記冷却モーターの出力軸には前記羽根が固定的に連結され、前記入気パイプの入口のところには前記フィルターが固定的に取り付けられている。
【００１１】
上記の技術プランに基づいて、前記支持壁の中にはハブモーターが固定的に取り付けられ、前記ハブモーターの出力軸にはハブ車軸が固定的に連結され、前記ハブ車軸が前記支持壁の前後面を前後に貫通して前記ハブ車カバーの中に入っており、且つ前記ハブ車と固定的に連結され、後側の前記ハブ車が研磨の粗加工を行い、前側の前記ハブ車が研磨の仕上げ加工を行い、前記支持壁の底面には灯光と前記吸い取りヘッドとが前後対称的に、且つ固定的に取り付けられている。
【００１２】
上記の技術プランに基づいて、前記防護カバーが二つ設置され、二つの前記防護カバーが互いにスライドできるように取り付けられ、前記支持壁の中には吸い上げポンプが固定的に取り付けられ、前記吸い上げポンプの入口が前記吸い取りヘッドと連通しており、前記持ち上げ筐体の中には収集チャンバが設置され、前記収集チャンバと前記吸い上げポンプの出口とが連結されている。
【発明の効果】
【００１３】
本発明の有益な効果は：本発明はハブ研磨機のハブ車とハブ研磨の作動位置とを比較的に密封的な環境で置いて作動させることができ、作業員は操作する時にハブ研磨機の作動部品との接触を減少し、加工物と作業員を防護でき、ハブ研磨機の内部に照明設備と監視設備を設置しており、それによって加工物にハブ研磨の加工を行う時に、加工物の情況をコントロールでき、ハブ研磨した後の鉄くずと埃とを収集でき、ハブ研磨機が環境に影響を及ぼさなく、多数の作動位置を設置することはハブ研磨機が作動する時に、自動的な制御を実現し、普及する価値がある。
【図面の簡単な説明】
【００１４】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成概略図
【図２】図２は図１の中の左側面構成概略図
【図３】図３は図１の中の平面構成概略図
【図４】図４は図１の中のＡのところの拡大構成概略図
【図５】図５は図２の中のＢ―Ｂ方向の断面構成概略図
【図６】図６は図３の中のＣ方向の構成概略図
【発明を実施するための形態】
【００１６】
図１〜６を参照し、本発明の実施例の仕上げ加工職場の研磨処理の防護型ハブ研磨機はベース１０と、支持板１２と、支持壁１７とを含み、前記ベース１０が前記支持板１２と固定的に連結され、前記支持板１２には支持筐体３７がスライドできるように取り付けられ、前記支持筐体３７の上側には持ち上げ筐体１８が設置され、前記支持筐体３７と、前記支持板１２と、前記持ち上げ筐体１８との三者の間の空間には前記持ち上げ筐体１８を前記ベース１０に対して前後左右且つ上下に移動させる運動部品８０が設置され、前記持ち上げ筐体１８の頂面には作動台空間３３が設置され、前記作動台空間３３の中には作動する時に加工物をきつく挟める挟み部品８１が設置され、前記挟み部品８１は前記作動台空間３３に設置された作動台３２を含み、前記作動台３２には加工物を置ける作動空間４３が設置され、前記作動空間４３と前記作動台３２の外周との間には調節ロッド４２がねじ山によって取り付けられ、前記調節ロッド４２には第一挟み板４４が回転できるように取り付けられ、前記作動空間４３の中には第二挟み板４５が設置され、前記第二挟み板４５と前記第一挟み板４４とは前記作動空間４３の中に位置した加工物をきつく挟むことができ、前記支持壁１７と持ち上げ筐体１８との間には加工物とハブ磨きによって生み出された粉末が飛び出ることを防止できる防護部品８２が設置され、前記防護部品８２は前記支持壁１７の前後面に前後対称的に、且つ固定的に取り付けられたハブ車カバー２６を含み、前記ハブ車カバー２６の中にはハブ車４０が設置され、前記ハブ車４０が前記支持壁１７と回転できるように取り付けられ、前記持ち上げ筐体１８にはハブ磨きをする時に加工物が飛び出るのを防止できる防護カバー３０が固定的に取り付けられ、前記防護カバー３０と前記ハブ車カバー２６との間には波紋カバー２９が固定的に取り付けられ、前記支持壁１７のうち前記防護カバー３０の中に位置したところにはハブ磨きをする時に生み出された粉末を吸い取れる吸い取りヘッド５５が固定的に取り付けられた。
【００１７】
また、一つの実施例の中に、前記運動部品８０はまた前記支持板１２と前記支持筐体３７との間に設置された移動部品１１を含み、
前記移動部品１１は支持筐体３７と支持板１２とに相対する前後左右への移動を行わせることができる。
【００１８】
また、一つの実施例の中に、前記支持筐体３７の中にはハンドル車軸１４が回転できるように取り付けられ、前記ハンドル車軸１４にはハンドル車１３が固定的に取り付けられ、前記ハンドル車軸１４には二つのねじが設置され、その二つのねじの回り方向は反対であり、前記ハンドル車軸１４にはねじ山ブロック１５が左右対称的に、且つねじ山によって取り付けられ、前記ねじ山ブロック１５には支持ロッド１６がヒンジで取り付けられ、前記支持ロッド１６が前記持ち上げ筐体１８の底面にヒンジで取り付けられ、
ハンドル車１３を回転させると、ハンドル車１３がハンドル車軸１４を回転連動させ、ハンドル車軸１４が回転することによってねじ山ブロック１５が中間へ移動する時、ねじ山ブロック１５が支持ロッド１６を押し動かすことによって持ち上げ筐体１８を上方へ移動させ、ねじ山ブロック１５が両側へ移動する時、持ち上げ筐体１８を下方へスライドさせる。
【００１９】
また、一つの実施例の中に、前記挟み部品８１はまた前記支持壁１７の底面に固定的に取り付けられた突き上げロッド３１を含み、前記支持壁１７が前記支持板１２と固定的に連結され、前記作動台３２には突き上げロッド空間４６が設置され、前記突き上げロッド３１が下方へ前記突き上げロッド空間４６の中に入っており、前記作動空間４３と前記突き上げロッド空間４６との間にはプッシュ板４８がスライドできるように取り付けられ、前記プッシュ板４８が前記第二挟み板４５と固定的に連結され、前記第二挟み板４５と前記作動空間４３の片側内壁との間には挟みバネ４７が固定的に取り付けられ、前記作動台３２を中心に六つの前記作動空間４３を対称的に設置し、
ハブ磨きする加工物を作動空間４３に置いた後、挟みバネ４７が第二挟み板４５に作動空間４３にある加工物をきつく挟ませ、作動台３２が回転して加工物を前後対称の作動位置に運動させてハブ磨きをする時、突き上げロッド３１はプッシュ板４８を突き上げて支持し、加工物を研磨される時に移動しないようにさせる。
【００２０】
また、一つの実施例の中に、前記作動台３２の底面にはスプラインスリーブ３４が固定的に取り付けられ、前記作動台空間３３の底壁の中にはステッピングモーター３５が固定的に取り付けられ、前記ステッピングモーター３５の出力軸にはスプライン軸３６が固定的に連結され、前記スプライン軸３６が前記スプラインスリーブ３４とスプラインによって取り付けられ、前記作動台空間３３の底壁には六つの持ち上げ斜めブロック４９が前記作動台３２を回って固定的に取り付けられ、前記持ち上げ斜めブロック４９には凹み部が設置され、前記作動台３２の底面には六つの持ち上げプッシュロッド５０が前記作動台３２に関して中心対称になるように、且つ固定的に取り付けられ、前記持ち上げプッシュロッド５０は前記持ち上げ斜めブロック４９にある凹み部と嵌合されることができ、前記持ち上げプッシュロッド５０の位置は前記作動空間４３の位置と対応しており、
ステッピングモーター３５を始動すると、ステッピングモーター３５が作動台３２を毎回六十度回転させ、作動台３２が回転する時、持ち上げプッシュロッド５０を持ち上げ斜めブロック４９でスライドできるように連動させ、作動台３２を持ち上げられるようにさせ、加工物の表面を研磨させられるようにさせる。
【００２１】
また、一つの実施例の中に、前記防護部品８２はまた前記支持壁１７の頂面に固定的に取り付けられた冷却筐体２１を含み、前記冷却筐体２１の中には入気パイプ２２が設置され、前記入気パイプ２２が前記ハブ車カバー２６と連通しており、前記入気パイプ２２の中には冷却モーター２４が固定的に取り付けられ、前記冷却モーター２４の出力軸には羽根２５が固定的に連結され、前記入気パイプ２２の入口のところにはフィルター２３が固定的に取り付けられ、
研磨処理を行う時、冷却モーター２４を始動し、冷却モーター２４が羽根２５を回転連動させて空間を入気パイプ２２の中に入らせ、それによってハブ車４０に温度を下げることができる。
【００２２】
また、一つの実施例の中に、前記支持壁１７の中にはハブモーター３８が固定的に取り付けられ、前記ハブモーター３８の出力軸にはハブ車軸３９が固定的に連結され、前記ハブ車軸３９が前記支持壁１７の前後面を前後に貫通して前記ハブ車カバー２６の中に入っており、且つ前記ハブ車４０と固定的に連結され、後側の前記ハブ車４０が研磨の粗加工を行い、前側の前記ハブ車４０が研磨の仕上げ加工を行い、前記支持壁１７の底面には灯光４１と前記吸い取りヘッド５５とが前後対称的に、且つ固定的に取り付けられ、
ハブモーター３８を始動し、ハブモーター３８がハブ車軸３９を回転連動させ、ハブ車軸３９が回転することでハブ車４０にハブ磨きを行わせ、灯光４１は照明でき、吸い取りヘッド５５はハブ磨きする過程を監視し、加工の異常状況が出ることを防止できる。
【００２３】
また、一つの実施例の中に、前記防護カバー３０が二つ設置され、二つの前記防護カバー３０が互いにスライドできるように取り付けられ、前記支持壁１７の中には吸い上げポンプ２０が固定的に取り付けられ、前記吸い上げポンプ２０の入口が前記吸い取りヘッド５５と連通しており、前記持ち上げ筐体１８の中には収集チャンバ１９が設置され、前記収集チャンバ１９と前記吸い上げポンプ２０の出口とが連結され、
ハブ磨きをする時、吸い上げポンプ２０を始動し、吸い上げポンプ２０はハブ磨きをする時に生み出された粉末を吸い取って収集チャンバ１９の中に送って収集することができる。
【００２４】
使用の時、ハンドル車１３を回転させ、ハンドル車１３がハンドル車軸１４を回転連動させ、ハンドル車軸１４が回転することによってねじ山ブロック１５が中間へ移動する時、ねじ山ブロック１５が支持ロッド１６を押し動かすことによって持ち上げ筐体１８を上方へ移動させ、加工物がハブ車４０に対する高度を調節し、ねじ山ブロック１５が両側へ移動する時、持ち上げ筐体１８を下方へスライドさせ、調節ロッド４２を回転させ、加工物を挟む幅を調節し、ハブ磨きする加工物を作動空間４３に入れ、挟みバネ４７が第二挟み板４５に作動空間４３にある加工物をきつく挟ませ、ハブモーター３８を始動し、ハブモーター３８がハブ車軸３９を回転連動させ、ハブ車軸３９が回転することでハブ車４０にハブ磨きを行わせ、ステッピングモーター３５を始動した時、ステッピングモーター３５が作動台３２を毎回六十度回転させ、作動台３２が回転する時、持ち上げプッシュロッド５０を持ち上げ斜めブロック４９でスライドできるように連動させ、作動台３２を持ち上げられるようにさせ、加工物の表面を研磨させられるようにさせ、作動台３２が回転して加工物を前後対称のハブ磨き用の作動位置に運動させた時、突き上げロッド３１はプッシュロッド４８を突き上げて支持でき、それによって加工物にハブ磨きをする時に加工物は移動することが発生しなく、ハブ磨きをする時、移動部品１１は支持筐体３７と支持板１２とに前後左右への移動を行わせることができ、それによって加工物の表面全体にハブ磨きができる。
【００２５】
研磨処理を行う時、冷却モーター２４を始動し、冷却モーター２４が羽根２５を回転連動させて空間を入気パイプ２２の中に入らせ、それによってハブ車４０に温度を下げることができ、灯光４１は照明でき、吸い取りヘッド５５はハブ磨きする過程を監視し、加工の異常状況が出ることを防止でき、吸い上げポンプ２０を始動し、吸い上げポンプ２０はハブ磨きをする時に生み出された粉末を吸い取って収集チャンバ１９の中に送って収集することができる。
【００２６】
本発明の有益な効果は：本発明はハブ研磨機のハブ車とハブ研磨の作動位置とを比較的に密封的な環境で置いて作動させることができ、作業員は操作する時にハブ研磨機の作動部品との接触を減少し、加工物と作業員を防護でき、ハブ研磨機の内部に照明設備と監視設備を設置しており、それによって加工物にハブ研磨の加工を行う時に、加工物の情況をコントロールでき、ハブ研磨した後の鉄くずと埃とを収集でき、ハブ研磨機が環境に影響を及ぼさなく、多数の作動位置を設置することはハブ研磨機が作動する時に、自動的な制御を実現し、普及する価値がある。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】      （修正有）【課題】仕上げ加工職場のバフ研磨処理の防護型ハブ研磨機を提供する。【解決手段】ベース１０と、支持板１２と、支持壁１７とを含み、ベースが支持板と固定的に連結され、ハンドル車１３を回転させると、ハンドル車がハンドル車軸１４を回転連動させ、ハンドル車軸が回転することによってねじ山ブロック１５が中間へ移動する時、ねじ山ブロックが支持ロッド１６を押し動かすことによって持ち上げ筐体１８を上方へ移動させ、ねじ山ブロックが両側へ移動する時、持ち上げ筐体を下方へスライドさせる。作業員は操作する時にハブ研磨機の作動部品との接触を減少し、加工物と作業員を防護でき、ハブ研磨機の内部に照明設備と監視設備を設置しており、それによって加工物にハブ研磨の加工を行う時に、加工物の情況をコントロールでき、ハブ研磨した後の鉄くずと埃とを収集でき、ハブ研磨機が環境に影響を及ぼさない。【選択図】図１【図１】
0006718047.tif 000002
【図２】
0006718047.tif 000003
【図３】
0006718047.tif 000004
【図４】
0006718047.tif 000005
【図５】
0006718047.tif 000006
【図６】
0006718047.tif 000007